(57)【要約】【課題】パネル本体が着脱可能である電子機器において、パネル本体を着脱後、サブパネルを駆動する場合にパネル本体を取り落とす恐れがない電動パネルを有する電子機器を提供する。【解決手段】機器本体１の前面側に取付けられたサブパネル２ａにパネル本体２が着脱可能であり、サブパネル２ａが傾動可能となっている電動パネルを有する電子機器において、パネル着脱監視手段を設け、パネル本体２がサブパネル２ａから取り外されたことを前記パネル着脱監視手段が検知すると、第１の所定時間経過後にサブパネル２ａを機器本体前面を覆う全閉位置に駆動するように構成した。【選択図】        図２
2005206007.tif 000002
【特許請求の範囲】
【請求項１】
機器本体の前面側に取付けられたサブパネルにパネル本体が着脱可能であり、前記サブパネルが傾動可能となっている電動パネルを有する電子機器において、パネル着脱監視手段を設け、前記パネル本体が前記サブパネルから取り外されたことを前記パネル着脱監視手段が検知すると、第１の所定時間経過後に前記サブパネルを機器本体前面を覆う全閉位置に駆動するように構成した電動パネルを有する電子機器。
【請求項２】
機器本体の前面側に取付けられたサブパネルにパネル本体が着脱可能であり、前記サブパネルが傾動可能となっている電動パネルを有する電子機器において、パネル着脱監視手段を設け、前記パネル本体が前記サブパネルに装着されたことを前記パネル着脱監視手段が検知すると、第２の所定時間経過後に前記サブパネルを通常使用される位置に駆動するように構成した電動パネルを有する電子機器。
【請求項３】
機器本体の前面側に取付けられたサブパネルにパネル本体が着脱可能であり、前記サブパネルが傾動可能となっている電動パネルを有する電子機器において、パネル着脱監視手段を設け、前記パネル本体が前記サブパネルから取り外されたことを前記パネル着脱監視手段が検知すると、第１の所定時間経過後に前記サブパネルを機器本体前面を覆う全閉位置に駆動し、前記パネル本体が前記サブパネルに装着されたことを前記パネル着脱監視手段が検知すると、第２の所定時間経過後に前記サブパネルを通常使用される位置に駆動するように構成した電動パネルを有する電子機器。
【請求項４】
前記通常使用される位置は前記パネル本体がサブパネルに装着された状態で前記電子機器を前回使用していたときのパネル本体の位置である請求項２から３のいずれかに記載した電動パネルを有する電子機器。
【発明の詳細な説明】
【技術分野】
【０００１】
この発明は電動パネルを有する電子機器に係わり、特に、パネル本体が機器本体に取付けられたサブパネルに着脱可能となっている電子機器に関する。
【背景技術】
【０００２】
従来の電動パネルを有する車載用音響機器は、機器本体の前面に配置されるパネルを傾動させて記録媒体挿入口を露出させ、また、操作し易い位置にパネルの角度を設定するようになっているものがある。
【０００３】
例えば、特公平６−４６４９３号公報に提案された操作パネル開閉機能付き電子機器は、前面に操作パネルが所定の角度範囲で開閉自在に設けられており、操作パネルの開き角度を記憶しておき、操作パネルを記憶した角度位置から全開または全閉した後、所定の動作をした後、記憶している開き角度位置まで自動的に開かれる。
【０００４】
また、特開平７−１１１０７３号公報に提案された車載用音響装置では可動パネルの開放状態が所定期間を越えると、前面可動パネルを強制的に閉鎖する。
【０００５】
また、盗難防止のために機器本体の前面に取付けられたサブパネルにパネル本体を着脱可能としたものがある。このサブパネルを所定の角度範囲で開閉自在とする場合、サブパネルからパネル本体を取り外すと、盗難防止のため、または、運転操作の邪魔ならないように車室内スペースを確保するためサブパネルを全閉状態とすることが好ましい。
【０００６】
また、パネル本体をサブパネルに装着した場合は、機器本体が使用状態となるのであるから、サブパネルを使用しやすい位置、すなわち、前回使用された角度位置に駆動することが好ましい。
【０００７】
しかしながら、パネル本体を着脱した直後にサブパネルを駆動すると、パネル本体がサブパネルに近接した状態でサブパネルが急に動き出すため、パネル本体を取り落とす恐れがある。パネル本体には通常表示管やマイクロコンピュータ等の部品が取付けられており、パネル本体を落下させると破損する恐れがあった。
【特許文献１】特公平６−４６４９３号公報、第２頁、第３図〜第４図
【特許文献２】特開平７−１１１０７３号公報、段落００１２、図３
【発明の開示】
【発明が解決しようとする課題】
【０００８】
この発明は上記した点に鑑みてなされたものであって、その目的とするところは、パネル本体が着脱可能である電子機器において、パネル本体を着脱後、サブパネルを駆動する場合にパネル本体を取り落とす恐れがない電動パネルを有する電子機器を提供することである。
【課題を解決するための手段】
【０００９】
この発明の電動パネルを有する電子機器は、機器本体の前面側に取付けられたサブパネルにパネル本体が着脱可能であり、前記サブパネルが傾動可能となっている電動パネルを有する電子機器において、パネル着脱監視手段を設け、前記パネル本体が前記サブパネルから取り外されたことを前記パネル着脱監視手段が検知すると、第１の所定時間経過後に前記サブパネルを機器本体前面を覆う全閉位置に駆動するように構成したものである。
【００１０】
また、この発明の電動パネルを有する電子機器は、機器本体の前面側に取付けられたサブパネルにパネル本体が着脱可能であり、前記サブパネルが傾動可能となっている電動パネルを有する電子機器において、パネル着脱監視手段を設け、前記パネル本体が前記サブパネルに装着されたことを前記パネル着脱監視手段が検知すると、第２の所定時間経過後に前記サブパネルを通常使用される位置に駆動するように構成したものである。。
【００１１】
また、この発明の電動パネルを有する電子機器は、機器本体の前面側に取付けられたサブパネルにパネル本体が着脱可能であり、前記サブパネルが傾動可能となっている電動パネルを有する電子機器において、パネル着脱監視手段を設け、前記パネル本体が前記サブパネルから取り外されたことを前記パネル着脱監視手段が検知すると、第１の所定時間経過後に前記サブパネルを機器本体前面を覆う全閉位置に駆動し、前記パネル本体が前記サブパネルに装着されたことを前記パネル着脱監視手段が検知すると、第２の所定時間経過後に前記サブパネルを通常使用される位置に駆動するように構成したものである。
【００１２】
また、前記各電動パネルを有する電子機器において、前記通常使用される位置を前記パネル本体がサブパネルに装着された状態で前記電子機器を前回使用していたときのパネル本体の位置としたものである。
【発明の効果】
【００１３】
この発明の電動パネルを有する電子機器によれば、パネル本体をサブパネルに着脱した後にサブパネルを駆動してもパネル本体を取り落とす恐れがない。
【発明を実施するための最良の形態】
【００１４】
以下この発明を実施するための最良の形態を実施例に即して説明する。
【実施例１】
【００１５】
図１（ａ）はこの発明の実施例１である車載用音響機器のパネル全閉状態を示す概略構成図、図１（ｂ）〜（ｃ）は同車載用音響機器のパネル半開状態を示す概略構成図、図１（ｄ）は同車載用音響機器のパネル全開状態を示す概略構成図である。図に示すパネル本体２は操作部および表示部を備えており、機器本体１の前面に取付けられたサブパネル２ａに着脱可能となっている。パネル本体２がサブパネル２ａに装着されるとパネル本体２の回路はサブパネル２ａを介して機器本体内にある制御部６（図４）に接続される。
【００１６】
サブパネル２ａはパネル開閉装置３により図１（ａ）に示すパネル全閉状態から、図１（ｂ）〜（ｃ）に示すパネル半開状態を経て、図１（ｄ）に示すパネル全開状態まで駆動される。図１（ｂ）または（ｃ）に示すパネル半開状態でサブパネル２ａを停止させて、この車載用音響機器を使用することができる。この状態ではパネル本体２の表示部が見やすく、また、操作部を操作しやすい。
【００１７】
機器本体１には前面に開口部を有する記録媒体（ディスク）挿入口１ａが設けられている。記録媒体挿入口１ａはパネル全閉状態はサブパネル２ａに覆われる。記録媒体挿入口１ａには、記録媒体センサ５が設けられており、記録媒体挿入口１ａに挿入された記録媒体はローディング装置４により図４に示した再生部７に装着される。
【００１８】
図４は同車載用音響機器の制御回路を示すブロック図である。図に示す制御部６はマイクロコンピュータを備えており、パネル本体２および固定部に設けられた操作部８の操作釦および記録媒体センサ５からの信号が入力され、再生部７、パネル開閉装置３およびローディング装置４を制御する。
【００１９】
なお、制御部６はパネル開度記憶部６ａを備えており、操作部８の操作により使用時のパネル開度がパネル開度記憶部６ａに記憶され、通常は記憶されたパネル開度で車載用音響機器が使用される。
【００２０】
すなわち、制御部６は操作部８のアングル釦が押される毎にサブパネル２ａを図１（ａ）〜図１（ｄ）に示す位置に駆動時間が管理されて順次駆動され、使用状態のときのサブパネル開度がパネル開度記憶部６ａに記憶されている。なお、制御部６にはパネル本体２がサブパネル２ａに装着されているか否かを判断するパネル本体着脱監視部６ｂを備えている。
【００２１】
次に、図２および図５によりパネル本体２がサブパネル２ａから取り外されたときの動作を説明する。図２（ａ）に示すようにパネル本体２がサブパネル２ａに装着されているときは、図５に示すルーチンが定期的に実行される。このルーチンでは先ず、ステップＳ１において、パネル本体２が取り外されたか否かを判断し、取り外されてない場合はこのルーチンを終了する。
【００２２】
ステップＳ１において、パネル本体２が取り外された（図２（ｂ）に図示）と判断した場合はステップＳ２に移行して制御部６に含まれたタイマーをスタートしてステップＳ３に移行する。ステップＳ３において再度パネル本体２が取り外されているか否かを判断し、取り外されてない場合はこのルーチンを終了する。
【００２３】
ステップＳ３において、パネル本体２が取り外されていると判断した場合はステップＳ４に移行してタイマースタートから３秒経過したか否かが判断され、経過した場合はステップＳ５に移行し、経過していない場合はステップＳ３が繰り返される。ステップＳ５では図２（ｃ）に示すようにパネル開閉装置３のスライダをＡ方向に移動させサブパネル２ａをクローズしてこのルーチンを終了する。
【００２４】
このようにパネル本体２がサブパネル２ａから完全に取り外された後３秒経過しないと、サブパネル２ａが動かないので、パネル本体２を取り落とす恐れがない。そして、パネル本体２がサブパネル２ａから完全に取り外された車載用音響機器の不使用状態では、サブパネル２ａがフルクローズ状態となるので、防犯効果があり、また、車内スペースも確保される。
【００２５】
次に、図３および図６によりパネル本体２がサブパネル２ａに装着されたときの動作を説明する。図３（ａ）に示すようにパネル本体２がサブパネル２ａから取り外されているときは、図６に示すルーチンが定期的に実行される。このルーチンでは先ず、ステップＳ６において、パネル本体２が装着されたか否かを判断し、装着されてない場合はこのルーチンを終了する。
【００２６】
ステップＳ６において、パネル本体２が装着された（図３（ｂ）に図示）と判断した場合はステップＳ７に移行して制御部６に含まれたタイマーをスタートしてステップＳ８に移行する。ステップＳ８において再度パネル本体２が装着されているか否かを判断し、装着されていない場合はこのルーチンを終了する。
【００２７】
ステップＳ８において、パネル本体２が装着されていると判断した場合はステップＳ９に移行してタイマースタートから１秒経過したか否かが判断され、経過した場合はステップＳ１０に移行し、経過していない場合はステップＳ８が繰り返される。ステップＳ１０では図３（ｃ）に示すようにパネル開閉装置３のスライダをＢ方向に移動してサブパネル２ａを前回開使用された開度にオープンしてこのルーチンを終了する。
【００２８】
このようにパネル本体２がサブパネル２ａに完全に装着された後１秒経過しないと、サブパネル２ａが動かないので、パネル本体２を取り落とす恐れがない。そして、パネル本体２がサブパネル２ａに装着されると前回使用された開度にパネル本体が移動されるので使い勝手がよい。
【００２９】
実施例は以上のように構成されているが発明はこれに限られず、例えば、所定の経過時間を３秒または１秒以外の時間に設定してもよい。
【図面の簡単な説明】
【００３０】
【図１】図１（ａ）はこの発明の実施例１である車載用音響機器のパネル全閉状態を示す概略構成図、図１（ｂ）および（ｃ）は同車載用音響機器のパネル半開状態を示す概略構成図、図１（ｄ）は同車載用音響機器のパネル全開状態を示す概略構成図である。
【図２】同車載用音響機器の作動状態を示す概略構成図である。
【図３】同車載用音響機器の他の作動状態を示す概略構成図である。
【図４】同車載用音響機器の制御回路を示すブロック図である。
【図５】同車載用音響機器の動作を示すフローチャートである。
【図６】同車載用音響機器の他の動作を示すフローチャートである。
【符号の説明】
【００３１】
１  機器本体、１ａ  記録媒体挿入口
２  パネル本体、２ａ  サブパネル
３  パネル開閉装置
４  ローディング装置
５  記録媒体センサ
６  制御部、６ａ  パネル開度記憶部、６ｂ  パネル本体着脱監視部
７  再生部
８  操作部
【図１】
2005206007.tif 000003
【図２】
2005206007.tif 000004
【図３】
2005206007.tif 000005
【図４】
2005206007.tif 000006
【図５】
2005206007.tif 000007
【図６】
2005206007.tif 000008